(57)【要約】【課題】簡単に高度なスライドショーを楽しむことができる静止画の動画化技術を提供する。【解決手段】静止画像や動画像などの表示画像１８を動画化するための表示画像動画化プログラム１５と、前記表示画像動画化プログラムで利用される表示画像１８ａを規定する定義スクリプト１４を作成する定義スクリプト作成プログラム１３と、前記表示画像動画化プログラムを実行させる動画再生エンジン１２とが記録されているとともに、前記定義スクリプト作成プログラムによって作成される定義スクリプトとこの定義スクリプトで規定された表示画像の画像データを記録する書き込み可能領域１０Ｂが形成されているハイブリッドＣＤ−Ｒ。【選択図】        図２
2006155776.tif 000002
【特許請求の範囲】
【請求項１】
表示画像を動画化するための表示画像動画化プログラムと、前記表示画像動画化プログラムで利用される表示画像を規定する定義スクリプトを作成する定義スクリプト作成プログラムと、前記表示画像動画化プログラムを実行させる動画再生エンジンとが記録されているとともに、前記定義スクリプト作成プログラムによって作成される定義スクリプトとこの定義スクリプトで規定された表示画像の画像データが追記されることを特徴とするリムーバブル記録媒体。
【請求項２】
前記リムーバブル記録媒体がＲＯＭ領域と書き込み可能領域を混在させたハイブリッド記録媒体であり、前記動画再生エンジンと前記定義スクリプト作成プログラムとが前記ＲＯＭ領域に記録され、前記表示画像動画化プログラムと前記定義スクリプトと前記定義スクリプトで規定された表示画像の画像データとが前記書き込み可能領域に記録されることを特徴とする請求項１に記載のリムーバブル記録媒体。
【請求項３】
前記表示画像が静止画像又は動画像あるいはその両方であることを特徴とする請求項１又は２に記載のリムーバブル記録媒体。
【請求項４】
前記定義スクリプトで規定された表示画像が静止画像である場合、その画像データはモニタ表示用の低解像度画像データとプリント出力用の高解像度画像データに区分けされて追記されることを特徴とする請求項３に記載のリムーバブル記録媒体。
【請求項５】
ＲＯＭ領域又は書き込み可能領域あるいはその両方に記録されたデータのコピーを阻止するコピープロテクトプログラムが前記ＲＯＭ領域に記録されていることを特徴とする請求項２に記載のリムーバブル記録媒体。
【請求項６】
表示画像を動画化するための表示画像動画化プログラムと、前記表示画像動画化プログラムで利用される表示画像を規定する定義スクリプトを作成する定義スクリプト作成プログラムと、前記表示画像動画化プログラムを実行させる動画再生エンジンとが記録されているとともに、前記定義スクリプト作成プログラムによって作成される定義スクリプトとこの定義スクリプトで規定された表示画像の画像データが追記されるリムーバブル記録媒体を用いて表示画像動画化再生用記録媒体を作成するシステムにおいて、
ロードした前記定義スクリプト作成プログラムを実行するプログラム実行部と、表示画像を入力する表示画像入力部と、入力された表示画像から選択された表示画像を前記定義スクリプト作成プログラムを通じて定義する定義スクリプトとこれに定義された表示画像の画像データを前記追記記録領域に記録する記録媒体書き込み部とが備えられていることを特徴とするシステム。
【請求項７】
前記リムーバブル記録媒体がＲＯＭ領域と前記書き込み可能領域とを混在させたハイブリッド記録媒体であり、前記動画再生エンジンと前記定義スクリプト作成プログラムとが前記ＲＯＭ領域に前もって記録されており、前記表示画像動画化プログラムと作成された定義スクリプトとこの定義スクリプトで規定された表示画像の画像データとが前記記録媒体書き込み部によって前記書き込み可能領域に記録されることを特徴とする請求項６に記載のシステム。
【請求項８】
前記表示画像が静止画像又は動画あるいはその両方であることを特徴とする請求項６又は７に記載のシステム。
【請求項９】
前記定義スクリプトで規定された表示画像が静止画像である場合、その画像データはモニタ表示用の低解像度画像データとプリント出力用の高解像度画像データに区分けされて記録されることを特徴とする請求項８に記載のシステム。
【請求項１０】
前記プログラム実行部において所定のプログラムを実行することにより、前記定義ファイルに規定された表示画像を動画化再生する動画再生部と、この動画再生部によって再生された表示画像からプリント目的の表示画像を指定するプリント画像指定部と、この画像指定部によって指定された表示画像を出力するプリント画像出力部が構築されることを特徴とする請求項７に記載のシステム。
【請求項１１】
前記プリント画像出力部が前記指定された表示画像をその属性情報としてのプリントサイズとプリント枚数とともに出力することを特徴とする請求項８に記載のシステム。
【発明の詳細な説明】
【技術分野】
【０００１】
本発明は、表示画像を動画化するために使用されるリムーバブル記録媒体と、そのようなリムーバブル記録媒体を用いて表示画像動画化再生用記録媒体を作成するシステムに関する。
【背景技術】
【０００２】
デジタルカメラやカメラ付き携帯電話を用いて取得された撮影画像は当然として、従来の写真フィルムを用いた取得された撮影画像もフィルムスキャナを通じてデジタル化された画像データの形で、写真プリント処理やＣＤ−Ｒ等への記録処理が行われている。このため、各家庭間や個人間の間でも撮影画像が画像データとして取り扱われている。このような画像データとしての撮影画像を簡単に可視化するためには、一般的なコンピュータや最新のテレビなどにインストールされているスライドショーと呼ばれている画像表示アプリケーションが利用されるのが一般的であるが、そのような一般的なスライドショーでは単純にページをめくるように撮影画像を順次表示するだけであり、退屈なイメージを与えることからあまり評判はよくない。このため、ある程度のプログラム知識は必要とされるが、Ｆｌａｓｈ（マクロメディア社商標）といった動画作成表示アプリケーションを用いて、複雑な動きやズーミングを静止画像に施して動画化することにより、よりインパクトのあるスライドショーを作り出すことも提案されており、特にこのような静止画の動画化技術はインターネットのＷｅｂページに盛んに用いられている。
【０００３】
このようなスライドショーをＷｅｂページ以外でも気軽に楽しむための静止画動画化技術の１つが特許文献１に開示されている。この特許文献１による静止画動画化技術では、顧客によって店舗に持ち込まれた、撮影済みネガフィルムがラボに転送されると、ラボでは、情報記録端末４０を用いて、ネガフィルムを現像して現像済みネガフィルムを作成し、この現像済みネガフィルムから画像情報を読み取り、読み取った画像情報を加工して、３種類の解像度の画像情報と専用アプリケーションプログラムとを情報記録媒体に書き込む。画像情報と専用アプリケーションプログラムとを記録した情報記録媒体及び現像済みネガフィルムをラボから店舗を経て受け取った顧客は、コンピュータ端末に情報記録媒体を挿入して、情報記録媒体に記録された自動複製プログラムを起動させ、コンピュータ端末に専用アプリケーションプログラムを複製させるとともに、情報記録媒体の識別情報に対応するディレクトリがコンピュータ端末内に作成されて画像情報が自動的に複製される。続いて、コンピュータ端末に保存された情報出力プログラムを動作させると、画像一覧表示画面が表示される。スライドショー処理を選択するとスライドショー編集画面が表示されるので、スライド間隔やスライド効果や画像情報を繰り返して表示するか１回のみ表示するかといった選択などのスライドショーの各種設定を行う。画像情報及び楽曲音声情報の選択やスライド効果の設定が終了した後、スライドショー開始スイッチを押すと、選択した画像情報と楽曲音声情報を用いたスライドショーが開始される。このスライドショーは、保存先に保存フォルダを作成して画像情報と楽曲音声情報とスライドショープログラムと関連付けファイルとをセットとして出力することにより、再生可能に保存することができる。保存先をブランクのＣＤ−ＲやＤＶＤ−Ｒなどの他の記録媒体に設定することで、このスライドショーを友人などに手渡すことも可能である。
（例えば、特許文献１参照。）。
【特許文献１】特開２００３−３１６５２４号公報（段落番号００５０−６８、図３）
【発明の開示】
【発明が解決しようとする課題】
【０００４】
上述した特許文献１による静止画動画化技術は、ネガフィルムから読み取られＣＤ−Ｒなどの記録媒体に記録された撮影画像を自動的にコンピュータに複製して複製作業の手間を省き、スライドショーを気軽に楽しむことを可能にするが、スライドショーのソースとなるべき撮影画像をラボによって記録媒体にその他のプログラムとともに書き込んでもらう必要があり、既にネガフィルムからデジタル化された撮影画像を所有しているユーザや、デジタルカメラやカメラ付き携帯電話によって即時にデジタル化された撮影画像を取得できるユーザにとって、スライドショーを楽しむために、いちいち撮影画像やＣＧの画像データを店舗に預け、再度その画像データやプログラムを記録した記録媒体を引き取りに行くことは煩わしいことである。
上記実状に鑑み、本発明の課題は、上述した煩わしさなしで簡単に高度なスライドショーを楽しむことができる静止画又は動画あるいはその両方からなる表示画像の動画化技術を提供することである。
【課題を解決するための手段】
【０００５】
上記目的を達成するため、本発明では、表示画像を動画化するための表示画像動画化プログラムと、前記表示画像動画化プログラムで利用される表示画像を規定する定義スクリプトを作成する定義スクリプト作成プログラムと、前記表示画像動画化プログラムを実行させる動画再生エンジンとが記録されているとともに、前記定義スクリプト作成プログラムによって作成される定義スクリプトとこの定義スクリプトで規定された表示画像の画像データが追記されることを特徴とするリムーバブル記録媒体が提案される。
【０００６】
このリムーバブル記録媒体にはユーザがスライドショー化したい表示画像を用意すればスライドショーが実現するプログラムが予め書き込まれているので、このリムーバブル記録媒体を広く流通させ、ユーザに行き渡るようにしておけば、このリムーバブル記録媒体からロードされた定義スクリプト作成プログラムを起動させ、スライドショー化したい表示画像を登録入力するだけで、表示画像動画化プログラムで利用される表示画像を規定する定義スクリプトとこの定義スクリプトで規定された表示画像の画像データが同じリムーバブル記録媒体の追記記録領域に書き込まれるので、以後はこのリムーバブル記録媒体を用いて、スライドショーを楽しむことができる。なお、ここでいう表示画像動画化とは複雑な表示画像や背景画像の動きやズームアップなどの映画的表現などを可能にする高度なスライドショーを意味している。
【０００７】
なお、本出願で用いられている表示画像とは、モニタ等の画面内に規定されている所定の表示枠内に表示される画像であり、その表示枠に嵌め込まれる画像は静止画像又は動画像あるいはその両方であってよい。
【０００８】
追記可能なリムーバブル記録媒体としてはＣＤ−ＲＷがよく知られているが、この場合予め書き込んでいる情報がユーザによって誤って書き換えられる可能性が小さくない。このため、本発明の好適な実施形態の１つでは、前記リムーバブル記録媒体として、ＲＯＭ領域と書き込み可能領域を混在させたハイブリッド記録媒体が採用され、前記動画再生エンジンと前記定義スクリプト作成プログラムとが前記ＲＯＭ領域に記録され、前記表示画像動画化プログラムと前記定義スクリプトと前記定義スクリプトで規定された表示画像の画像データとが前記書き込み可能領域に記録されている。この構成では、動画再生エンジンと定義スクリプト作成プログラムとがＲＯＭ領域に記録されるので、スライドショーのための基本的なプログラム構造は書き換えられることはないし、スライドショー化される表示画像やそのための定義スクリプトには追記情報であるので書き込み可能領域が割り当てられている。表示画像動画化プログラムは、いわゆるスライドショーのシナリオを含んでおり、異なる動きをもったスライドショーに変更するためには、この表示画像動画化プログラムを更新する必要があるため、表示画像動画化プログラムに対して書き込み可能領域を割り当てることは適切である。その際、基本的なシナリオを定義している表示画像動画化プログラムを予めＲＯＭ領域に記録しておいて、ユーザが所望する特別な表示画像動画化プログラムだけを書き込み可能領域に追記してもよい。
【０００９】
スライドショーなどにより表示画像、詳しくは表示画像を嵌め込んでいる表示枠を動画化して表示するためには、液晶ディスプレイやＣＲＴディスプレイといったモニタが用いられるが、モニタ表示のために要求される表示画像の解像度は比較的に低く１００ＤＰＩ以下で十分である。しかしながら、撮影画像などを写真プリントするために要求される解像度は３００ＤＰＩ以上となる。スライドショーで見た表示画像（撮影画像）を写真プリントしたいという要望は必ず出てくると考えられ、その場合スライドショーに用いられた記録媒体から直接表示画像を写真プリントするために、本発明による好適な実施形態の１つでは、前記定義スクリプトで規定された表示画像が静止画像である場合、その画像データはモニタ表示用の低解像度画像データとプリント出力用の高解像度画像データに区分けされて追記される。
【００１０】
表示画像動画化プログラムなどの重要なアプリケーションプログラムを記録したリムーバブル記録媒体を流通させる場合、コピープロテクト技術を導入することは重要である。ハイブリッドＣＤなどの記録媒体には予めコピープロテクト技術が導入されているので、本は発明においても、ＲＯＭ領域又は書き込み可能領域あるいはその両方に記録されたデータのコピーを阻止するコピープロテクトプログラムを前記ＲＯＭ領域に記録するような方策を講じることが可能である。
【００１１】
上述したような、表示画像を動画化するために使用されるリムーバブル記録媒体に、スライドショーに用いられる表示画像やこの表示画像を規定する定義スクリプトを追記することで、表示画像動画化再生用記録媒体を作り出すことが可能であるが、このような表示画像動画化再生用記録媒体を作成するシステムも本発明に含まれている。つまり、表示画像を動画化するための表示画像動画化プログラムと、前記表示画像動画化プログラムで利用される表示画像を規定する定義スクリプトを作成する定義スクリプト作成プログラムと、前記表示画像動画化プログラムを実行させる動画再生エンジンとが記録されているとともに、前記定義スクリプト作成プログラムによって作成される定義スクリプトとこの定義スクリプトで規定された表示画像の画像データが追記されるリムーバブル記録媒体を用いて表示画像動画化再生用記録媒体を作成する本発明によるシステムは、ロードした前記定義スクリプト作成プログラムを実行するプログラム実行部と、表示画像を入力する表示画像入力部と、入力された表示画像から選択された表示画像を前記定義スクリプト作成プログラムを通じて定義する定義スクリプトとこれに定義された表示画像の画像データを前記追記記録領域に記録する記録媒体書き込み部とが備えられている。このようなシステムは、ユーザが所有するコンピュータに構築することが可能であるが、コンビニやＤＰショップの店頭などに設置されている写真プリント受付機に構築すると好都合である。あらかじめ、あるいはその場で上述したリムーバブル記録媒体を購入したユーザは、このリムーバブル記録媒体を所定位置にセッティングするとともに、表示画像を格納しているメモリカードなどを表示画像入力部に投入して、スライドショー化したい表示画像を選択すると、選択された表示画像とこれを定義する定義スクリプトとが自動的にリムーバブル記録媒体の追記記録領域に記録され、選択された表示画像をスライドショーとして動画化表示する表示画像動画化再生用記録媒体が作り出される。
【００１２】
コピープロテクトなどを考慮するならば、このシステムにおいても使用するリムーバブル記録媒体を前述したようなハイブリッド記録媒体に限定しておくことが好ましい。
【００１３】
また、前述したように、動画化表示される表示画像の写真プリントを考慮するならば、このシステムにおいても、前記定義スクリプトで規定された表示画像が静止画像である場合、その画像データはモニタ表示用の低解像度画像データとプリント出力用の高解像度画像データに区分けされて記録される必要がある。従って、前記プログラム実行部において所定のプログラムを実行することにより、前記定義ファイルに規定された表示画像を動画化再生する動画再生部と、この動画再生部によって再生された表示画像からプリント目的の表示画像を指定するプリント画像指定部と、この画像指定部によって指定された表示画像が静止画像である場合、その高解像度表示画像を出力するプリント画像出力部が備えられることにより、スライドショーを通じて気に入った表示画像の高解像度データを即座に出力することができる。
【００１４】
前記プリント画像出力部が前記プリントすべき表示画像をその属性情報としてのプリントサイズとプリント枚数とともに出力することができるならば、スライドショーを通じて確認された表示画像の写真プリント注文を簡単かつ確実に行うことができ、このことはこのシステムがコンビニやＤＰショップの店頭などに設置されている写真プリント受付機に構築されている場合、特に効果的である。
本発明によるその他の特徴及び利点は、以下図面を用いた実施形態の説明により明らかになるだろう。
【発明を実施するための最良の形態】
【００１５】
本発明による表示画像動画化再生用記録媒体１０を流通させるシステムの全体構成を図１によるモデルを用いて説明する。この全体システムは写真プリントショップによって運営され、現像済み写真フィルムＭａからフィルムスキャナ等でデジタルデータ化されて得られた撮影コマ画像やデジタルカメラやカメラ付き携帯電話などのデジタル撮影機器で使用されたメモリカード等の記録メディアＭｂに格納された撮影コマ画像（静止画像）、又はデジタルムービーカメラで使用された記録メディアＭｂに格納された撮影画像（動画像）、あるいはその両方を表示画像としてユーザ１から受け取るとともに、あらかじめ又は同時にユーザ１に無料又は有料で配布した未追記状態の表示画像動画化再生用記録媒体１０に書き込んで、パソコン等の映像表示機器で追記された表示画像動画化再生用記録媒体１０を用いて表示画像の動画化表示可能とする写真受付ブース２０が中核の構成要素となっている。上述した表示画像動画化再生用記録媒体１０として、この実施形態では、ＲＯＭ領域と追記記録領域としての書き込み可能領域が混在したハイブリッドＣＤ−Ｒが用いられているので、以下この表示画像動画化再生用記録媒体１０をハイブリッドＣＤ−Ｒと略称することにする。もちろん、表示画像動画化再生用記録媒体１０としてハイブリッドＣＤ−Ｒに限定されているわけではなく、例えばハイブリッドＣＤ−ＲＷやハイブリッドＤＶＤ−Ｒなどの記録媒体でもよい。ハイブリッドＣＤ−Ｒ１０は、原盤製造元においてＲＯＭ領域に所定のプログラム等のデータを書き込んだ後、写真プリントショップに備えられたＣＤ−Ｒ書き込み機２で写真プリントショップ独自のデータが書き込まれ、ユーザ１に無料又は有料で配布される。
【００１６】
図２に示すように、このハイブリッドＣＤ−Ｒ１０のＲＯＭ領域１０Ａには、コピープロテクトプログラム１１、動画再生エンジン１２、定義スクリプト作成プログラム１３が電子データの形であらかじめ記録されており、さらに書き込み可能領域１０Ｂには、まずＣＤ−Ｒ書き込み機２により表示画像動画化プログラム１５が記録された後、写真受付ブース２０で、定義スクリプト１４、音声（ＢＧＭ）１６、テキスト（メッセージ）１７、表示用低解像度表示画像１８ａとプリント用高解像度表示画像１８ｂとに区分けされた表示画像１８が電子データの形で記録される。
【００１７】
なお、ＣＤ−Ｒ書き込み機２によってハイブリッドＣＤ−Ｒ１０の書き込み可能領域１０Ｂに書き込まれる表示画像動画化プログラム１５は、スライドショーとしての表示画像動画化の際のシナリオ（モーションデザインとも呼ばれる）を記述しており、後で嵌め込まれる表示画像のための表示枠としての画像枠の動かし方や背景画面を規定している。したがって、シナリオの数だけ表示画像動画化プログラム１５は存在することになる。このため、コンテンツサーバ５に結婚式、卒業式といったカテゴリ別に区分けされて格納されており、所望のシナリオをもつ表示画像動画化プログラム１５をコンテンツサーバ５からダウンロードして、ハイブリッドＣＤ−Ｒ１０に書き込む形態が好都合である。
【００１８】
表示画像動画化プログラム１５はユーザ１が用意した静止画像や動画像などの表示画像１８を、より具体的には表示画像１８を嵌め込んだ画像枠を動画化するためのプログラムであり、この表示画像動画化プログラム１５で利用される表示画像１８を規定しているのが定義スクリプト１４であり、この定義スクリプト１４を定義スクリプト作成プログラム１３が作成する。動画再生エンジン１２は、表示画像動画化プログラム１５を実行させる環境を作り出す基本プログラムである。表示画像動画化プログラム１５で取り扱われる表示画像１８そしては、一般的に３２０×３２０〜６４０×３２０（ドット）程度であるので、表示用低解像度表示画像１８ａが用いられる。ただし、ユーザ１が表示された画像のプリントを希望する場合に備えて、特に表示画像が静止画像である場合プリント用高解像度表示画像１８ｂも記録されている。ユーザ１から与えられた表示画像１８が撮影コマ画像のような静止画像の場合は一般的に大きな画像サイズを有しているので、そのままの形でプリント用高解像度表示画像１８ｂとして記録され、さらにその画像サイズを縮小することで表示用低解像度表示画像１８ａとして記録されるとよい。コピープロテクトプログラム１１は、このハイブリッドＣＤ−Ｒ１０の不正コピーを防ぐためのプログラムモジュールである。
【００１９】
写真受付ブース２０には、表示画像動画化プログラム１５の実行時に動画再生されている表示画像１８ａをプリント目的のために指定して、この指定された表示画像１８ａの好ましくはプリント用高解像度画像１８ｂをそのプリントサイズやプリント枚数とともにプリント注文情報として出力するプリント画像指定機能やプリント画像出力機能が備わっている。このようなプリント注文情報は、写真受付ブース２０からプリント管理部３に送られ、そこで写真プリント技術の分野ではよく知られた画像処理等を受けてプリントデータ化され、このプリントデータがプリント出力部４に送られることにより写真プリントが出力され、ユーザ１に渡すことができる。
【００２０】
上述したハイブリッドＣＤ−Ｒ１０にユーザ１が用意した表示画像やテキスト（メッセージ）や音声（ＢＧＭ）を記録して、この表示画像を動画化してメッセージやＢＧＭとともに再生する際の各データのつながりを図３を用いて説明する。ユーザ１が用意した表示画像１８ａ、音声１６、テキスト１７のデータは、表示画像動画化プログラム１５に規定されている表示枠としての画像枠、音声枠、テキスト枠へリンクされるが、そのリンクデータをまとめたものが定義スクリプト１４であり、この定義スクリプト１４は定義スクリプト作成プログラム１３を通じて、後で詳しく説明するユーザ１との対話形式で確定された内容をもって作成される。この定義スクリプト１４及び対応する表示画像１８ａ、音声１６、テキスト１７のデータを追加記録された配布ハイブリッドＣＤ−Ｒ１０は、完成した表示画像動画化再生用記録媒体として取り扱うことができ、例えば所定の仕様を満足するパソコンや写真受付ブース２０に投入することで、ロードされた動画再生エンジン１２が作り出す動作環境の下で静止画動画化プログラム１５が起動すると、背景となる動画がスタートし、その動画中に規定されている表示枠としての画像枠、音声枠、テキスト枠からの読み出し命令に応答して、定義スクリプト１４で定義されている静止画像や動画像である表示画像１８ａ、音声１６、テキスト１７が選択的に読み出しされ、背景動画中に表示されていくことで、適当なＢＧＭやメッセージをともなった表示画像１８ａの動画化表示が実現する。
【００２１】
さらにこの動画再生中にプリント出力を要求することで、指定された表示画像１８ａに対応するプリント用画像、もし高解像度静止画像１８ｂが存在する場合高解像度静止画像１８ｂと写真プリント注文データ（プリントサイズやプリント枚数）とからなるプリント注文情報が出力される。この写真プリント注文データはＤＰＯＦ（Digital Print Order Format）ファイルと同等もしくは類似のファイル構造となっていると、後の写真プリント処理において好都合となる。
【００２２】
上述した表示画像動画化再生システムの具体的な構成例が図４に示されている。その際、プリント出力部４は印画紙Ｐに対して露光処理と現像処理とを行う写真プリンタとしてのプリントステーションとして構成され、プリント管理部３は受け取った撮影コマ画像データに必要な画像処理を施して前記プリントステーションで使用されるプリントデータに変換して転送する操作ステーションとして構成され、この操作ステーションとプリントステーションを組み合わせて、いわゆるデジタルミニラボと呼ばれる写真プリント装置１００となる。なお、ＣＤ−Ｒ書き込み機２も、この写真プリント装置１００に組み込まれており、写真プリントのソースである撮影コマ画像の画像データをＣＤ−Ｒに記録するサービスであるメディア出力サービスにも用いられる。
【００２３】
この構成例では、写真受付ブース２０は、写真プリントショップのサテライトショップを果たすものであり、店頭だけではなく、店頭から遠く離れた地点（コンビニや駅構内）にも設置されるものであり、ＡＴＭブースのような形態で、写真プリント装置１００と通信ネットワークを通じて接続されている。
【００２４】
図５に示す写真受付ブース２０は一般的な写真プリント注文受付の機能を備えているが、ここでは主に表示画像動画化再生用記録媒体作成のための機能部分を説明する。この写真受付ブース２０は、その正面に、コピープロテクトプログラム１１、動画再生エンジン１２、定義スクリプト作成プログラム１３、表示画像動画化プログラム１５が記録された状態でユーザ１に配布されたハイブリッドＣＤ−Ｒを受け入れる記録媒体書き込み部としても機能する読み書き両用の光学メディアドライブ２１と、カメラ付き携帯電話などに内蔵されているメモリから撮影コマ画像（より詳しくは静止画像のデジタル画像データ）やデジタルムービーカメラから動画像を受け取るためのＵＳＢケーブル２２と、デジタルカメラやデジタルムービーカメラで使用されているメモリカードなどのリムーバブル記録メディアから撮影コマ画像や動画像を取り込むメディアドライブユニット２３と、現像済み写真フィルムから撮影コマ画像を読み取ってデジタル画像データ化された撮影コマ画像を取得するフィルムスキャナ２４と、ユーザ操作入力部として機能するキーボード２５と、各種情報を表示するモニタ２６と、各種情報シートを出力するプリンタ２７を備えている。
【００２５】
上述した写真受付ブース２０に装備された各種機器の制御や各種データの処理はこの写真受付ブース２０に内蔵されているコンピュータシステムとして機能するコントローラユニット２８によって行われるが、図６に示すように、このコントローラユニット２８においてハードウエアやソフトウエアによって構築される各機能としては、グラフィック化された操作画面の作成やそのようなグラフィック操作画面を通じてのユーザ操作入力から制御コマンドや管理データを生成するグラフィックユーザインターフェース（以下ＧＵＩと略称する）を構築するＧＵＩ部２８ａと、ＵＳＢケーブル２２やメディアドライブユニット２３やフィルムスキャナ２４を通じて送り込まれてきた表示画像を所定のメモリに展開する表示画像入力部２８ｂと、光学メディアドライブ２１に投入されたハイブリッドＣＤ−Ｒ１０からコピープロテクトプログラム１１、動画再生エンジン１２、定義スクリプト作成プログラム１３、表示画像動画化プログラム１５をロードして実行させる環境を提供するプログラム実行部２８ｃと、受付日時、受付内容、処理料金などを印字した受領書などをプリンタ２７を通じて発行するシート発行処理部２８ｄが挙げられる。
【００２６】
プログラム実行部２８ｃはプログラム実行環境を作り出すいわゆるオペレーションシステム（マイクロソフト社の「Window XP」やアップル社の「OS X」など）の一部によって構築されるものであり、このプログラム実行部２８ｃの環境下で上述したハイブリッドＣＤ−Ｒ１０に記録されているプログラムが起動することにより、このコントローラユニット２８が、入力された表示画像の画像データに適当な画像処理を施すことにより表示用低解像度表示画像１８ａを作成する画像処理部２８ｗ、定義スクリプト１４を作成する定義スクリプト作成部２８ｘ、表示画像動画化プログラム１５と定義スクリプト１４とこの定義スクリプト１４に記述された表示用低解像度表示画像１８ａと必要に応じて入力された音声１６やテキスト１７に基づいてスライドショーとしての動画化された表示画像を再生する動画再生部２８ｙと、動画再生部２８ｙによる動画再生中にプリント出力を要求することで指定された表示画像１８ａに対応するプリント用画像（好ましくは高解像度表示画像１８ｂ）と写真プリント注文データ（プリントサイズやプリント枚数）とからなるプリント注文情報を出力するプリント注文受付部２８ｚとしての機能を有することになる。
【００２７】
プリント注文受付部２８ｚで作成出力されるとともに写真プリント装置１００のプリント管理部３に転送されるプリント注文情報には、プリント用静止画像とそれに対するプリントサイズやプリント枚数などがプリント管理部３で解釈できるフォーマットで記録されているので、このプリント注文情報がプリント管理部３に転送されることで、写真プリント装置１００は適切に写真プリント処理を行うことができる。
【００２８】
以下に、上述したシステムを通じて表示画像動画化再生用記録媒体を作製する際の典型的な処理の流れを図６のフローチャートを用いて説明する。
ＲＯＭ領域１０Ａに、コピープロテクトプログラム１１、動画再生エンジン１２、定義スクリプト作成プログラム１３が電子データの形であらかじめ記録されているハイブリッドＣＤ−Ｒ１０に、希望のシナリオをもつ表示画像動画化プログラム１５をＣＤ−Ｒ書き込み機２によって書き込むことにより、基本となるハイブリッドＣＤ−Ｒ１０が作製される（＃０１）。作製されたハイブリッドＣＤ−Ｒ１０は、無料又は有料でユーザ１に配布される（＃０２）。
【００２９】
ユーザ１は動画化して眺めたい表示画像１８を準備することになる（＃０３）。例えば、表示画像１８としてデジタルカメラなどで特定のイベントにおける被写体を撮影して得られた静止画像を動画化する場合、ユーザ１はその表示画像１８としての静止画像を格納している媒体（ここではメモリカードとする）とハイブリッドＣＤ−Ｒ１０をもって近くの写真受付ブース２０に持参し、ハイブリッドＣＤ−Ｒ１０を光学メディアドライブ２１に、メモリカードをメディアドライブユニット２３に投入する（＃０４）。写真受付ブース２０のコントローラユニット２８は表示画像入力部２８ｂの機能を用いてメディアドライブユニット２３から表示画像１８としての静止画像を読み込んでメモリに展開する（＃０５）。次いで、ハイブリッドＣＤ−Ｒ１０のＲＯＭ領域１０Ａからまずコピープロテクトプログラム１１がロードされる（＃０６）。このコピープロテクトプログラム１１に基づいて今扱っているハイブリッドＣＤ−Ｒ１０が正規のものであるかどうかがチェックされ（＃０７）、正規のものでない場合この表示画像動画化再生用記録媒体の作製処理は中止される（＃００）。
【００３０】
扱っているハイブリッドＣＤ−Ｒ１０が正規のものである場合この表示画像動画化再生用記録媒体の作製処理は続行され、さらにハイブリッドＣＤ−Ｒ１０のＲＯＭ領域１０Ａから動画再生エンジン１２と定義スクリプト作成プログラム１３が、書き込み可能領域１０Ｂから表示画像動画化プログラム１５がロードされる（＃０８）。ユーザ１の希望によって、ロードされた表示画像動画化プログラム１５による仮の動画再生が行われる（＃０９）。この仮の動画再生とは、図７に示すように、テキスト表示枠Ｆｔや画像表示枠Ｆｇが背景を表示している背景表示フレームＦｒとともにモニタ２６に動画として表示されることであるが、テキスト表示枠Ｆｔや画像表示枠Ｆｇは空のままである。しかしながら、この仮の動画再生を通じてこの表示画像動画化表示（スライドショー）が提示しているシナリオを理解することができる。したがって、ハイブリッドＣＤ−Ｒ１０に複数の表示画像動画化プログラム１５が記録されている場合は、ユーザ１が希望するものを選択することも可能となる。
【００３１】
続いて、定義スクリプト作成プログラム１３が起動して（＃１０）、表示画像動画化プログラム１５によって作り出される静止画動画化画面（フレーム）において規定されている種々のメッセージ枠に登録するタイトルを入力するためのメッセージ・タイトル入力画面５０が図８に示すようにモニタ２６に表示される。図示されたメッセージ・タイトル入力画面５０には、複数の入力部５１が含まれている。具体的にはイントロタイトル、中間タイトルＡ、中間タイトルＢ、中間タイトルＣ、エンドタイトルの５種類のタイトルを入力するものであり、夫々の入力部５１に対してキーボード２５から任意の文字を入力することが可能であり、入力した文字は、前記定義スクリプト１４に所定の形式で記述される（＃１１）。メッセージ・タイトルの入力が完了すると、ＯＫボタンをクリックすることで、次の表示画像選択処理に移行する（＃１２）。
【００３２】
表示画像選択処理では、図９に示された画像選択画面６０がモニタ２６に表示される。ユーザが持参した表示画像を格納したメディアカードが既にメディアドライブユニット２３に投入されており、その表示画像がメモリに展開されている場合は、各表示画像のサムネイル画像（サムネイル形式の画像データ）が画像リスト欄６１に一覧表示されるが、さらに別なメディアカードからの表示画像を画像リスト欄６１に追加する場合は、次のメディアカードをドライブユニット２３に投入して「画像リストに追加ボタン」６２をクリックすることで表示画像のサムネイル画像が画像リスト欄６１に追加表示される。画像リスト領域６１に複数の表示画像のサムネイル画像が表示され、この画像リスト領域６１に表示されたサムネイル画像を図示されていないマウスやキーボード２５のカーソルキーの操作等で選択した後、「再生リストに追加」ボタンＭｃを操作することにより、選択したサムネイル画像に対応した表示画像が、動画化再生画像として再生リスト領域６３に選択した順序で表示される。このように再生リスト領域６３に表示された表示画像が表示画像動画化プログラム１５に規定されている画像枠に組み込まれて動画化再生されるのである。
【００３３】
なお、再生リスト領域６３に登録された表示画像に対して、トリミングなどの画像補正、さらに表示画像が動画像の場合は時間軸に関する種々の調整を施すことも可能であり、再生リスト領域６３に表示されているサムネイル画像をダブルクリックすることによって表示される画像編集画面にて種々の静止画像処理又は動画像処理を指示するまた、再生リスト領域６３に表示されているサムネイル画像の順番をドラッグアンドドロップで変更することも可能である。
【００３４】
表示画像選択処理が完了すると、ＯＫボタンをクリックすることで、再生リスト領域６３に登録された表示画像は、入力された状態での画像サイズ（画像解像度）に関係なく、所定の画像サイズ（画像解像度）、つまり表示用低解像度表示画像１８ａに変換される（＃１３）。入力された状態での表示画像の画像サイズ（画像解像度）がプリント品質の高い画像解像度を備えている場合は、そのままの画像サイズ（画像解像度）で、プリント用高解像度表示画像１８ｂとして取り扱われる。続いて、音楽（ＢＧＭ）の登録処理に移行する（＃１４）。この音楽を選択するページでは、ユーザが用意した音楽又はあらかじめ写真受付ブース２０が用意している音楽のいずれか又は両方を登録する。
【００３５】
このように、表示画像動画化プログラム１５に規定されているメッセージ枠や画像枠に組み込まれるテキストや表示画像、それにＢＧＭ音楽などの登録が完了すると、それらの全ての登録を記述した定義スクリプト１４が作成される（＃１５）。続いて、最終的なプレビューを行うウインドウを開き、作成された定義スクリプト１４とリンクさせて表示画像動画化プログラム１５が起動することで、試しの動画化再生が行われる（＃１６）。このプレビューに満足しない場合（＃１７No分岐）、再度各タイトルへのメッセージ入力や表示画像選択などの処理に戻る。このプレビューに満足する場合（＃１７Yes分岐）、作成された定義スクリプト１４、表示用低解像度表示画像１８ａ、プリント用高解像度表示画像１８ｂ、音楽データをハイブリッドＣＤ−Ｒ１０の書き込み可能領域１０Ｂに書き込まれる（＃１８）。
【００３６】
〔別実施形態〕
図４を用いて説明した表示画像動画化再生システムの具体的な構成例では、写真受付ブース２０は、写真プリントショップのサテライトショップとして機能するＡＴＭブースのような形態であったが、これに代えて、例えば図１０に示すように、写真受付ブース２０をユーザ１が所有するパソコンで構築することも可能である。一般的なパソコンには、ハイブリッドＣＤ−Ｒなどの表示画像動画化再生用記録媒体１０を読み書きできる機能や表示画像として用いられる静止画像や動画像を入力する機能を備えているので、図５で示された写真受付ブース２０が有する機能を実質的に実現可能である。必要とされる機能は、装填した表示画像動画化再生用記録媒体１０からロードされるプログラムによってパソコン内に構築されるからである。
【産業上の利用可能性】
【００３７】
本発明は、静止画像や動画像などの表示画像を嵌め込んだ表示枠を動画化して表示するスライドショー技術に広く適用することができる。
【図面の簡単な説明】
【００３８】
【図１】本発明による表示画像動画化再生用記録媒体（ハイブリッドＣＤ−Ｒ）を流通させるシステムの全体構成を示す模式図
【図２】本発明による表示画像動画化再生用記録媒体データ書き込み領域を説明する説明図
【図３】定義スクリプトを仲介とする各データのつながりを示す模式図
【図４】図１によるシステムの具体的構成を示す全体構成図
【図５】写真受付ブースの外観を示す斜視図
【図６】表示画像動画化再生用記録媒体（ハイブリッドＣＤ−Ｒ）の作成過程を示すフローチャート
【図７】静止画動画化画面の一例を示す画面図
【図８】メッセージ・タイトル入力のための画面図
【図９】画像選択のための画面図
【図１０】図１によるシステムの別な具体的構成を示す全体構成図
【符号の説明】
【００３９】
１：ユーザ
２：ＣＤ−Ｒ書き込み機
１０：ハイブリッドＣＤ−Ｒ（表示画像動画化再生用記録媒体：リムーバブル記録媒体）
１０Ａ：ＲＯＭ領域
１０Ｂ：書き込み可能領域（追記記録領域）
１２：動画化プログラム
１３：定義スクリプト作成プログラム
１４：定義スクリプト
１５：表示画像動画化プログラム
１８：静止画像
１８ａ：表示用低解像度表示画像
１８ｂ：プリント用高解像度表示画像
２０：写真受付ブース
２１：光学メディアドライブ（記録媒体書き込み部）
２８ｂ：表示画像入力部
２８ｘ：定義スクリプト作成部
２８ｙ：動画像再生部
２９ｚ：プリント注文情報作成部
１００：写真プリント装置
【図１】
2006155776.tif 000003
【図２】
2006155776.tif 000004
【図３】
2006155776.tif 000005
【図４】
2006155776.tif 000006
【図５】
2006155776.tif 000007
【図６】
2006155776.tif 000008
【図７】
2006155776.tif 000009
【図８】
2006155776.tif 000010
【図９】
2006155776.tif 000011
【図１０】
2006155776.tif 000012